(57)【要約】【課題】  通帳類と無線情報処理手段との位置関係を調整することなく、また、通帳類見開き２ページ分の通信範囲をもつ無線情報処理手段を用いることなく、無線ＩＣに対する情報処理を可能とする。【解決手段】  無線ＩＣが搭載された通帳類Ｔを開かれた状態で搬送する搬送ローラ対２と、この搬送ローラ対２によって搬送される通帳類Ｔに情報を印刷する中間転写印刷部８と、この中間転写印刷部８により情報が印刷された通帳類Ｔを閉じる折畳部１４と、この折畳部１４により閉じられた通帳類Ｔの無線ＩＣ４３に対し情報処理する無線ＩＣ Ｒ／Ｗ１０とを具備する。【選択図】図１
2005078355.tif 000002
【特許請求の範囲】
【請求項１】
無線ＩＣが搭載された通帳類を開かれた状態で搬送する搬送手段と、
この搬送手段によって搬送される通帳類に情報を印刷する印刷手段と、
この印刷手段により情報が印刷された通帳類を閉じる閉帳手段と、
この閉帳手段により閉じられた前記通帳類の無線ＩＣに対し情報処理する無線情報処理手段と
を具備することを特徴とする通帳類印刷装置。
【請求項２】
無線ＩＣが搭載された通帳類を開かれた状態で搬送する搬送手段と、
この搬送手段によって搬送される通帳類に情報を印刷する印刷手段と、
この印刷手段により情報が印刷された通帳類の印刷状態を検査する検査手段と、
この検査手段により印刷状態が検査された通帳類を閉じる閉帳手段と、
この閉帳手段により閉じられた前記通帳類の無線ＩＣに対し情報処理する無線情報処理手段と
を具備することを特徴とする通帳類印刷装置。
【請求項３】
無線ＩＣが搭載された通帳類を開かれた状態で搬送する搬送工程と、
この搬送工程によって搬送される通帳類に情報を印刷する印刷工程と、
この印刷工程により情報が印刷された通帳類を閉じる閉帳工程と、
この閉帳工程により閉じられた前記通帳類の無線ＩＣに対し情報処理する無線情報処理工程と
を具備することを特徴とする通帳類印刷方法。
【請求項４】
無線ＩＣが搭載された通帳類を開かれた状態で搬送する搬送工程と、
この搬送工程によって搬送される通帳類に情報を印刷する印刷工程と、
この印刷工程により情報が印刷された通帳類の印刷状態を検査する検査工程と、
この検査工程により印刷状態が検査された通帳類を閉じる閉帳工程と、
この閉帳工程により閉じられた前記通帳類の無線ＩＣに対し情報処理する無線情報処理工程と
を具備することを特徴とする通帳類印刷方法。
【発明の詳細な説明】
【技術分野】
【０００１】
本発明は、無線ＩＣを内蔵する通帳類の印刷装置及び印刷方法に関する。
【背景技術】
【０００２】
所持人情報などの固有記載情報を印刷したカード状の印刷対象物に、無線ＩＣを内蔵させることにより、記録する情報量を増加させたり、セキュリティ性を向上させたりすることが近年行われている。
【０００３】
このカード上に固有記載情報などを印刷する印刷装置においては、無線ＩＣに記録されているデータを読み書きするための装置（以下、無線ＩＣリーダライタ、あるいは無線ＩＣ Ｒ／Ｗと称する）を内蔵している。
【０００４】
この印刷装置では、印刷対象物への印刷と無線ＩＣの読み書きを装置内で自動的に行って印刷データと無線ＩＣデータの内容の不一致が発生しないように確認する必要がある。
【０００５】
今後、無線ＩＣを内蔵した固有記載情報を印刷する対象物が、カード状だけでなく、通帳類状になることが考えられる。本提案はこの場合に適用される。
【０００６】
ところで、印刷対象物がカード状の場合には、
（１）無線ＩＣが内蔵されている位置はせいぜい１００ｍｍ×８０ｍｍ程度の範囲内に収められていること、
（２）印刷面は、カード表面か裏面のどちらかのみであること、
などにより無線ＩＣリーダライタの通信範囲との関係から、無線ＩＣの読み書き時（以下、Ｒ／Ｗ時と称する）における無線ＩＣリーダライタとカードとの位置関係は概ね一意的に決定することができる。
【特許文献１】特願２００３−９４７０１号
【発明の開示】
【発明が解決しようとする課題】
【０００７】
しかしながら、印刷対象物が通帳類状の場合には、以下のような問題がある。
【０００８】
（１）無線ＩＣの内蔵される位置が、表紙の場合、裏表紙の場合、中紙部分に挟み込まれる場合の３通りが考えられること、
（２）印刷面は、通帳類内部の任意のページであることが多いため、印刷時は通帳類の見開き２ページを開いた状態（１５０ｍｍ×２００ｍｍ程度の大きさ）で搬送している場合が多いこと、
などにより通帳類を開いた状態のままで、無線ＩＣをＲ／Ｗする際は、見開き２ページのどちらのページに無線ＩＣが内蔵されているかにより、無線ＩＣのリーダライタと通帳類停止位置の位置関係を調整する必要があった。
【０００９】
また、停止位置の調整を不要にするためには、見開き２ページ分の通信範囲をもつ無線ＩＣリーダライタを準備する必要があるが、この場合はリーダライタの占有容積が大きくなるため、装置を小型化する際の障害となる。
【００１０】
なお、内蔵される無線ＩＣの容量は増加する傾向があり、それに伴ってＩＣの読み書きの通信時間が増加する結果として、装置内での通帳類の停止時間が長くなってしまう。
【００１１】
また、開いた状態で無線ＩＣの読み書きをする場合は、通帳類の見開き２ページ分の搬送路長を占有してしまうこととなり、この場合も装置容積の効率を悪化させていた。
【００１２】
本発明は上記事情に着目してなされたもので、その目的とするところは、通帳類と無線情報処理手段との位置関係を調整することなく、また、通帳類見開き２ページ分の通信範囲をもつ無線情報処理手段を用いることなく、無線ＩＣに対する情報処理が可能な通帳類印刷装置及び通帳類印刷方法を提供することにある。
【課題を解決するための手段】
【００１３】
上記課題を解決するため、請求項１記載のものは、無線ＩＣが搭載された通帳類を開かれた状態で搬送する搬送手段と、この搬送手段によって搬送される通帳類に情報を印刷する印刷手段と、この印刷手段により情報が印刷された通帳類を閉じる閉帳手段と、
この閉帳手段により閉じられた前記通帳類の無線ＩＣに対し情報処理する無線情報処理手段とを具備する。
【００１４】
請求項２記載のものは、無線ＩＣが搭載された通帳類を開かれた状態で搬送する搬送手段と、この搬送手段によって搬送される通帳類に情報を印刷する印刷手段と、この印刷手段により情報が印刷された通帳類の印刷状態を検査する検査手段と、この検査手段により印刷状態が検査された通帳類を閉じる閉帳手段と、この閉帳手段により閉じられた前記通帳類の無線ＩＣに対し情報処理する無線情報処理手段とを具備する。
【００１５】
請求項３記載のものは、無線ＩＣが搭載された通帳類を開かれた状態で搬送する搬送工程と、この搬送工程によって搬送される通帳類に情報を印刷する印刷工程と、この印刷工程により情報が印刷された通帳類を閉じる閉帳工程と、この閉帳工程により閉じられた前記通帳類の無線ＩＣに対し無線で情報処理する無線情報処理工程とを具備する。
【００１６】
請求項４記載のものは、無線ＩＣが搭載された通帳類を開かれた状態で搬送する搬送工程と、この搬送工程によって搬送される通帳類に情報を印刷する印刷工程と、この印刷工程により情報が印刷された通帳類の印刷状態を検査する検査工程と、この検査工程により印刷状態が検査された通帳類を閉じる閉帳工程と、この閉帳工程により閉じられた前記通帳類の無線ＩＣに対し情報処理する無線情報処理工程とを具備する。
【発明の効果】
【００１７】
本発明は、開かれた状態の通帳類に情報を印刷し、この通帳類を折り畳んでからその無線ＩＣの情報処理を行うため、無線ＩＣが内蔵されている位置が通帳類の表紙であっても、裏表紙であっても、中紙であっても、あるいはまた、通帳類の搬送方向にもかかわらず、通帳類と無線情報処理手段との位置関係を調整することなく、無線ＩＣに対する情報処理が可能になる。従って、無線情報処理手段を大型化したり、通帳類の見開き２ページ分の搬送路長を必要とすることがなく、装置を小型化できる。
【００１８】
また、通帳類の印刷状態を検査する検査手段と通帳類の無線ＩＣに対し無線で情報処理する無線情報処理手段との間に通帳類を閉じる閉じ手段を設けるため、検査手段と無線情報処理手段内にそれぞれ通帳類を位置させて通帳類の読取動作と無線ＩＣの読み書き動作とを並行して動作させることができ、処理時間の短縮化を図る。
【発明を実施するための最良の形態】
【００１９】
以下、本発明を図面に示す実施の形態を参照して詳細に説明する。  
図１は本発明の一実施の形態である通帳類印刷装置１を示す全体構成図である。
【００２０】
この通帳類印刷装置１は通帳類取込部４を備え、この通帳類取込部４には通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１の読取手段としての第１のＯＣＲ読取部５、ページ捲り部６、直接印刷部７、印刷手段としての中間転写印刷部８、第２の読取手段としての第２のＯＣＲ読取部９、閉じ手段としての折畳部１４及び無線情報処理手段としての無線ＩＣ Ｒ／Ｗユニット１０が配設されている。
【００２１】
また、搬送路３の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００２２】
上記した通帳類取込部４は、複数冊の通帳類Ｔを重ねたまま投入可能であり、制御部（図示しない）の指示に応じて最も下側の１冊のみをピッカ（図示しない）で押し出し、第１のＯＣＲ読取部５方向に送り出す。
【００２３】
第１のＯＣＲ読取部５は、隣のページめくり部６で必要なページが開かれた通帳類Ｔに初めから付与されている通帳類固有のシリアル番号をＯＣＲで読み取る。シリアル番号は、一定のエリアに英数字で表現されている。
【００２４】
ページめくり部６は、通帳類取込部４から取り込まれた通帳類Ｔの上側表紙をめくる機能、さらに内側の中紙をめくる機能を有する。めくったページの認識は、通帳類Ｔに当初より印刷されているバーマークを、バーマークリーダ（図示しない）で読み取ることで行う。
【００２５】
直接印刷部７は、中間転写印刷部８で印刷される情報に比べて、セキュリティ度合いが低い情報を印刷する。全ての通帳類Ｔが直接印刷部７で印刷されるわけではない。また、印刷するページは、中間転写印刷部８で印刷するページとは異なる。このため、直接印刷部８の印刷が発生した場合は、まず印刷するページをページめくり部６でめくり出し、直接印刷を行った後に、中間転写印刷を行うページをめくり出すために、再度ページめくり部６に逆搬送する。なお、直接印刷部７で印刷される情報がない場合は、通帳類Ｔは直接印刷部７を通過する。
【００２６】
中間転写印刷部８は後で詳しく述べる。
【００２７】
第２のＯＣＲ読取部９は搬送されてくる通帳類Ｔの通帳類シリアル番号と、シリアル番号情報を含む固有印刷情報（例えば所持人のカラー顔画像やセキュリティ情報）を読み取る。
【００２８】
折畳部１４は、回動レバー１４ａを有し、この回動レバー１４ａを上方へ回動させることにより、見開き２ページを開いた状態で搬送されてくる通帳類Ｔの前方のページを綴じ目を中心に後方に回転させて折り畳んで閉じた状態にする。
【００２９】
無線ＩＣ Ｒ／Ｗユニット１０は、折り畳まれた通帳類Ｔの無線ＩＣ４３に対し後述するように無線で情報処理する。
【００３０】
正常通帳類集積部１２は、正常通帳類と判断された通帳類Ｔを閉じた状態で積み重ね、不良通帳類集積部１３は不良通帳類と判断された通帳類Ｔは閉じた状態で積み重ねる。
【００３１】
図２は、上記した中間転写印刷部８を示すものである。
【００３２】
中間転写印刷部８は機能的に情報印刷部（以下、印刷部という）１６と、オーバーコート転写部（以下、転写部という）１７とを有して構成されている。
【００３３】
印刷部１６としては熱溶融転写印刷方式のものが採用されている。即ち、サーマルヘッド１９とプラテンローラ２０に挟まれるように中間転写フィルム２１と溶融インクリボン２２を配置し、これら中間転写フィルム２１と溶融インクリボン２２によって中間転写フィルム２１の表面に情報等を印刷する。
【００３４】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００３５】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００３６】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
【００３７】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００３８】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００３９】
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００４０】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００４１】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００４２】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００４３】
図３（ａ）〜（ｃ）は中間転写フィルム２１の構成を示す断面図である。
【００４４】
図３（ａ）に示す中間転写フィルム２１は、基材としてのＰＥＴフィルム２６の表面に、透明樹脂によるホログラム形成層と金属化合物の蒸着層による透明ホログラム層２８、受像層兼接着層としてのポリエステル系樹脂２９を積層したものである。
【００４５】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００４６】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００４７】
その他、中間転写フィルム２１としては紫外線によって発光する蛍光発色層などの機能層を設け、転写対象への転写と同時にこれらの機能層も転写するものであってもよい。
【００４８】
図６は上記した通帳類取込部４にセットされる通帳類Ｔを開いた状態で示すものである。
【００４９】
この通帳類Ｔの上側のページには通帳類固有情報としての通帳類固有番号４２が記録されている。また、この通帳類Ｔには無線ＩＣ４３が内蔵されている。
【００５０】
図７は上記した通帳類印刷装置１の駆動制御系を示すブロック図である。
【００５１】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００５２】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００５３】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００５４】
ヒータ温度制御部６０には制御回路を介してヒートローラ３５のヒータ６５が接続されている。通帳類搬送制御部６１には制御回路を介して通帳類搬送機構２ａ、通帳類取込機構４ａ、ページ検知部４ｂ、ページ捲り機構６ａ及び排出ゲート制御部１１ａが接続されている。
【００５５】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００５６】
光学式文字認識部６９には第１及び第２の読取り光学系５，９が接続されている。無線ＩＣ読取／書込部７３には、無線ＩＣ Ｒ／Ｗユニット１０が接続されている。
【００５７】
次に、上記したように構成される通帳類印刷装置１の動作について説明する。
【００５８】
まず、図１に示す通帳類取込部４から通帳類Ｔが１冊のみ取出されてページめくり部６に搬送され（搬送工程）、ここで、その表紙が綴じ目と直交する方向に捲られて見開き２ページを開いた状態となる。この後、第１のＯＣＲ読取部５で通帳類Ｔの通帳類固有情報４２が読み取られ、光学文字認識部６９で文字認識される。この認識結果は印刷装置制御部５８に送信される。印刷装置制御部５８では、データ入力制御部５０から送られてくる画像入力部５６で取得された所持人のカラー顔画像データ、操作パネル５５で入力された所持人のセキュリティ文字情報などに通帳類固有の文字情報に基づいた印刷データを加えて処理を行い、生成部５８ａで印刷データを生成する。
【００５９】
一方、このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
【００６０】
ついで、中間転写フィルム２１の所定の位置に固有印刷情報等がサーマルヘッド１９により上記した印刷データが印刷される。印刷される情報はＹ，Ｍ，Ｃの三原色に加えて黒の４色重ね合せによるカラー印刷である。これら複数色の重ね合わせ印刷は、中間転写フィルム２１がサーマルヘッド１９を色数と同じ回数往復することで、重ね合わせ印刷が行われる。また、印刷される情報は、反転画像であるという特徴がある。なお、印刷色は上記４色に加えて、蛍光顔料を含んだインクなど機能性インクを付与してもよい。
【００６１】
このように固有印刷情報が印刷された中間転写フィルム２１は順方向（ヒートローラ３５の方向）に巻き取られ、図４（ａ）に示すように経路途中の転写部マーク検知センサ３９によって中間転写フィルム２１の位置が把握される。この把握結果に基づいて転写開始位置まで中間転写フィルム２１が送られる。
【００６２】
また、このとき通帳類Ｔは、転写されるページが開かれた状態で図４（ｂ）に示すように取り込まれて、ヒートローラ３５に対して決められた位置に搬送される。転写されるページは、表紙見返しページでも、他の中紙ページでもかまわない。
【００６３】
このように互いに位置決めされた中間転写フィルム２１と通帳類Ｔの該当ベージは、図４（ｃ）に示すように円周の一部が切り欠かれた形状の金属製ヒートローラ３５の回転と共に合わされ、搬送と同時に加圧されるとともに加熱される。その後、図５に示すように通帳類Ｔに対して６０°〜１１０°の角度をもって転写フィルムベース２６が引き上げられて、固有印刷情報と受像兼接着層２９、ホログラム層２８の転写が完了し、図８に示すように通帳類固有情報４５を含むセキュリティ情報４６及び所持人のカラー顔画像４４が印刷される（印刷工程）。転写が完了した通帳類Ｔは、図４（ｄ）に示すようにページが開かれた状態のまま次の第２のＯＣＲ読取部９に搬送される。
【００６４】
この第２のＯＣＲ読取部９で通帳類Ｔの通帳類シリアル番号と、シリアル番号情報を含む固有印刷情報（例えば所持人のカラー顔画像やセキュリティ情報）が読み取られ、光学式文字認識部６９で文字認識される。この認識結果は印刷装置制御部５８に送信され、この印刷装置制御部５８で第１のＯＣＲ読取部５で読み取った通帳類シリアル番号と、第２のＯＣＲ読取部９で読み取った同じ通帳類シリアル番号及び第２のＯＣＲ読取部９で読み取った固有印刷情報に織り込まれた通帳類シリアル番号が照合され、照合結果が合致した場合は正常通帳類と判断され、照合結果が合致しない場合は何らかの原因から正常な通帳類作成がされなかった不良通帳類と判断される（検査工程）。こののち、通帳類Ｔは折畳部１４へ送られ、回動レバー１４ａが上方へ回動されることにより、前方のページが押し上げられその綴じ目を中心に後方に回転されて折り畳まれ閉じた状態になる（閉じ工程）。
【００６５】
この折畳み後、通帳類Ｔは無線ＩＣ Ｒ／Ｗ部１０へ送られ、この通帳類Ｔが不良通帳類である場合には、無線ＩＣ Ｒ／Ｗ部１０により通帳類Ｔの無線ＩＣ４３に不良であることを知らせる旨のデータが記録される（無線情報処理工程）。この記録後、通帳類Ｔは不良通帳類集積部１３に集積される。
【００６６】
また、通帳類Ｔが正常通帳類である場合には、無線ＩＣ４３に事前に通帳類Ｔの固有情報を記録してないものと、記録しているものとで動作が異なるので、それぞれの場合の動作を分けて記述する。
【００６７】
まず、無線ＩＣ４３に対して、事前に通帳類の固有情報を記録していない場合についての動作であるが、上述した中間転写印刷部８の印刷動作で説明したように、第１のＯＣＲ読取部５で読み取った通帳類固有情報４２を光学式文字認識部６９が認識し、その認識結果を印刷装置制御部５８に送信している。印刷装置制御部５８では、データ入力制御部５０から送られてきた、画像入力部５６で取得された所持人のカラー顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗユニット１０に送信する。これにより、通帳類固有情報が付与されたセキュリティ情報が無線ＩＣＲ／Ｗユニット１０にて通帳類Ｔの無線ＩＣ４３に記録（書き込み）される（無線情報処理工程）。
【００６８】
書き込み動作（通信）が終了したら、正常にデータが書き込めたかどうかをベリファイする。即ち、無線ＩＣ Ｒ／Ｗユニット１０は記録の終わった通帳類Ｔの無線ＩＣ４３から書き込んだデータを読み出し、送信したデータと照合を取る。照合結果が正しかった場合は正常通帳類集積部１２へ通帳類Ｔを搬送し、通帳類Ｔを集積する。
【００６９】
照合結果が正しくなかった場合は第２のＯＣＲ読取部９での照合エラーと同様に、無線ＩＣ Ｒ／Ｗユニット１０より、不良通帳類である旨を知らせるデータを通帳類Ｔの無線ＩＣ４３に記録し、不良通帳類集積部１３へ集積する。
【００７０】
一方、通帳類Ｔの無線ＩＣ４３に対して、事前に通帳類の固有情報を記録している場合については、やはり、通帳類Ｔの無線ＩＣ４３へ記録するためのデータは、第１のＯＣＲ読取部５で読み取った通帳類固有情報を光学式文字認識部６９で認識し、その認識結果を印刷装置制御部５８に送信している。印刷装置制御部５８では、画像入力部５６で取得された所持人のカラー顔画像データ、操作パネル５５で入力された所持人のセキュリティ文字情報などに通帳類固有の文字情報に基づいた記録データを加えて処理を行い、無線ＩＣ４３への記録データを生成し、無線ＩＣ Ｒ／Ｗユニット１０に送信する。
【００７１】
上記固有情報を受け取った無線ＩＣ Ｒ／Ｗユニット１０はまず、無線ＩＣ Ｒ／Ｗユニット１０まで搬送されてきた通帳類Ｔの無線ＩＣ４３から事前に記録された通帳類固有情報を読み出し、印刷装置制御部５８から受信したデータとの照合を取る。ここで照合結果が不一致で、照合エラーが発生した場合は第１のＯＣＲ読取部５で読取りが誤認識された可能性があり、中間転写印刷部８で印刷された固有情報を含むセキュリティデータが、そもそも通帳類が持っていた固有情報と異なって印刷されてしまった可能性がある。この場合には、不良通帳類として扱い、無線ＩＣ Ｒ／Ｗユニット１０により、不良通帳類である旨を知らせるデータを通帳類Ｔの無線ＩＣ４３に記録して不良通帳類集積部１３へ集積する。
【００７２】
照合結果が一致した場合は、印刷装置制御部５８から送られてきた固有情報を含むセキュリティデータを事前に無線ＩＣ４３に書き込まれた固有情報に追記もしくは上書きして書き込む（無線情報処理工程）。この後の動作は通帳類Ｔに内蔵された無線ＩＣ４３に固有情報が事前に書き込まれていなかった場合と同様に、正常にデータが書き込めたかどうかをベリファイする。即ち、無線ＩＣ Ｒ／Ｗユニット１０は通帳類Ｔから無線ＩＣ１０から書き込んだデータを読み出し、送信したデータと照合を取る。照合結果が正しかった場合は正常通帳類集積部１２へ通帳類を搬送し、通帳類Ｔを集積する。照合結果が正しくなかった場合は、無線ＩＣ Ｒ／Ｗユニット１０により、不良通帳類である旨を知らせるデータを通帳類Ｔの無線ＩＣ４３に記録し、不良通帳類集積部１３へ集積する。
【００７３】
ところで、上記した第２のＯＣＲ読取部９から送り出される通帳類Ｔは、図９（ａ）〜（ｃ）或いは図１０（ａ）〜（ｃ）に示す状態で搬送されて折り畳まれたのち、無線ＩＣ４３に対する情報処理が行われる。
【００７４】
即ち、図９（ａ）は通帳類Ｔが無線ＩＣ４３を表紙部Ｔａに内蔵して薄いページ側が前方の状態で搬送され、折畳部１４で薄いページ側が折り畳まれてＲ／Ｗユニット１０で無線ＩＣ４３のデータ処理が行われる状態を示す。
【００７５】
図９（ｂ）は通帳類Ｔが無線ＩＣ４３を裏表紙部Ｔｂに内蔵して薄いページ側が前方の状態で搬送され、折畳部１４で薄いページ側が折り畳まれてＲ／Ｗ部１０で無線ＩＣ４３のデータ処理が行われる状態を示す。
【００７６】
図９（ｃ）は通帳類Ｔが無線ＩＣ４３を中紙部分Ｔｃに内蔵して薄いページ側が前方の状態で搬送され、折畳部１４で薄いページ側が折り畳まれてＲ／Ｗ部１０で無線ＩＣ４３のデータ処理が行われる状態を示す。
【００７７】
図１０（ａ）に示す通帳類Ｔは無線ＩＣ４３を表紙部Ｔａに内蔵して厚いページ側が前方の状態で搬送され、折畳部１４で厚いページ側が折り畳まれてＲ／Ｗ部１０で無線ＩＣ１０のデータ処理が行われる状態を示す。
【００７８】
図１０（ｂ）に示す通帳類Ｔは無線ＩＣ４３を裏表紙部Ｔｂに内蔵して厚いページ側が前方の状態で搬送され、折畳部１４で厚いページ側が折り畳まれてＲ／Ｗ部１０で無線ＩＣ４３のデータ処理が行われる状態を示す。
【００７９】
図１０（ｃ）に示す通帳類Ｔは無線ＩＣ４３を中紙部分Ｔｃに内蔵して厚いページ側が前方の状態で搬送され、折畳部１４で厚いページ側が折り畳まれてＲ／Ｗ部１０で無線ＩＣ４３のデータ処理が行われる状態を示す。
【００８０】
上記したように、この実施の形態によれば、通帳類Ｔを閉じた状態で、その無線ＩＣ４３を無線ＩＣ Ｒ／Ｗユニット１０でデータ処理するため、無線ＩＣ Ｒ／Ｗユニット１０の占有スペースは図１１に示すように通帳類１ページ分有れば良く、また、通帳類Ｔの搬送路長も１ページ分有れば良く、装置の小型化が可能となる。
【００８１】
また、第２のＯＣＲ読取部９と、無線ＩＣ・Ｒ／Ｗユニット１０との間に通帳類の折畳部１４を設けるため、第２のＯＣＲ読取部９と無線ＩＣ・Ｒ／Ｗユニット１０内にそれぞれ通帳類Ｔを持たせることができる。従って、通帳類Ｔの読取動作と無線ＩＣ４３の読み書き動作とを並行して動作させて読取動作と読書動作の処理時間を重ねることができ、時間短縮が可能となる。
【００８２】
なお、通帳類Ｔを開いた状態で、その停止位置の調整を不要にして無線ＩＣ４３をデータ処理しょうとすると、図１２に示すように、見開き２ページ分の幅寸法を有する無線ＩＣ Ｒ／Ｗユニット１０が必要になり、無線ＩＣ Ｒ／Ｗユニット１０の占有面積が大きくなり装置が大型化する。
【００８３】
また、通帳類１ページ分の幅寸法を有する無線ＩＣ Ｒ／Ｗユニット１０を使用する場合には、図１３に示すように通帳類３ページ幅分の搬送路長が必要になり、やはり装置が大型化する。
【００８４】
なお、本発明は、上記一実施の形態に限られることなく、その要旨の範囲内で種々変形実施可能なことは勿論である。
【図面の簡単な説明】
【００８５】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同転写印刷部の転写動作を示す図。
【図５】同転写印刷部の転写動作の一部を拡大して示す図。
【図６】同通帳類印刷装置で用いられる通帳類を示す平面図。
【図７】同通帳類印刷装置の制御部を示すブロック図。
【図８】同通帳類印刷装置で印刷された通帳類を示す平面図。
【図９】同通帳類印刷装置で開かれた通帳類が印刷されて折畳まれたのちその無線ＩＣがＲ／Ｗ処理される状態を示すを示す図。
【図１０】同通帳類印刷装置で開かれた通帳類が印刷されて折畳まれたのちその無線ＩＣがＲ／Ｗ処理される状態を示すを示す図。
【図１１】同通帳類印刷装置で折り畳まれた通帳類の無線ＩＣがＲ／Ｗ処理処理される状態を示す図。
【図１２】第１の従来例を示すもので、開かれた通帳類を見開き２ページ分の幅寸法の有する無線ＩＣ Ｒ／Ｗユニットで情報処理する場合を示す図。
【図１３】第２の従来例を示すもので、開かれた通帳類を１ページ分の幅寸法を有する無線ＩＣ Ｒ／Ｗユニットで情報処理する場合を示す図。
【符号の説明】
【００８６】
Ｔ…通帳類、２…搬送ローラ対（搬送手段）、３…搬送路、５…第１のＯＣＲ読取部（第１の読取手段）、８…中間転写印刷部（印刷手段）、９…第２のＯＣＲ読取部（第２の読取手段）、１０…無線ＩＣ Ｒ／Ｗユニット（無線情報処理手段）、１４…折畳部（閉帳手段）、４３…無線ＩＣ、４２…通帳類固有情報。
【図１】
2005078355.tif 000003
【図２】
2005078355.tif 000004
【図３】
2005078355.tif 000005
【図４】
2005078355.tif 000006
【図５】
2005078355.tif 000007
【図６】
2005078355.tif 000008
【図７】
2005078355.tif 000009
【図８】
2005078355.tif 000010
【図９】
2005078355.tif 000011
【図１０】
2005078355.tif 000012
【図１１】
2005078355.tif 000013
【図１２】
2005078355.tif 000014
【図１３】
2005078355.tif 000015